(57)【要約】【課題】操作ノブから手を離すことなく、操作トルクを変更可能なフォーカス操作装置を提供すること。【解決手段】レンズ装置に装着され、回転操作部を手動により操作することにより可動光学部材を移動させるフォーカス操作装置において、少なくとも１つのパラメータを検出するパラメータ検出手段と、前記回転操作部の回転軸にトルクを発生させるトルク発生手段と、前記パラメータ検出手段からの信号に基づいて回転操作部のトルク制御するトルク制御手段と、を有することを特徴とする。【選択図】図３
2017215398.tif 000002
【特許請求の範囲】
【請求項１】
レンズ装置に装着され、回転操作部を手動により操作することにより可動光学部材を移動させるフォーカス操作装置において、
少なくとも１つのパラメータを検出するパラメータ検出手段と、
前記回転操作部の回転軸にトルクを発生させるトルク発生手段と、
前記パラメータ検出手段からの信号に基づいて回転操作部のトルク制御するトルク制御手段と、を有することを特徴とするフォーカス操作装置。
【請求項２】
前記パラメータは回転操作部の回転量であり、
前記フォーカス操作装置は回転操作部の回転量を検出する回転量検出手段と、
前記回転量検出手段から検出された回転操作部の回転量から回転速度を算出する回転速度算出手段と、を有し、
前記トルク制御手段は、回転速度算出手段で算出された回転速度に基づいて回転操作部のトルクを制御することを特徴とする請求項１に記載のフォーカス操作装置。
【請求項３】
前記パラメータは、前記フォーカス操作装置が装着されたレンズ装置のレンズ群の位置であり、
前記トルク制御手段は、レンズ位置検出手段で検出したレンズ群の位置に基づいて回転操作部のトルクを制御することを特徴とする請求項１に記載のフォーカス操作装置。
【請求項４】
レンズ装置に装着され、回転操作部を手動により操作することにより可動光学部材を移動させるフォーカス操作装置において、
回転操作部を把持する手で操作可能な位置に設けられている可動部材と、
前記回転操作部の回転軸にトルクを発生させるトルク発生手段と、を有し、
前記トルク発生手段は、前記可動部材の位置に応じてトルクを発生させることを特徴とするフォーカス操作装置。
【請求項５】
前記可動部材は、前記回転操作部の外周面に設けられていることを特徴とする請求項４に記載のフォーカス操作装置。
【発明の詳細な説明】
【技術分野】
【０００１】
本発明は、レンズ操作装置に関し、特に回転操作することにより、レンズ装置の可動な光学部材を移動させるレンズ操作装置に関する。
【背景技術】
【０００２】
テレビジョン撮影などで用いられるレンズ装置では、フォーカス操作を行う際、フォーカス操作装置を使用している。撮影者はフォーカス操作装置の操作ノブを回転することで、レンズのフォーカス群を合焦位置まで移動させる。
【０００３】
ピントずれ量が大きく操作ノブの必要回転量が大きい場合や、スポーツ中継のように焦点位置を大きく変化させる撮影状況では、操作ノブの操作トルクを軽くして、所望の合焦位置までスムーズに操作できるようにしている。
【０００４】
一方、焦点位置の変化が少ない撮影状況で焦点位置の微調整が必要な場合には、操作ノブを低速で操作して、合焦位置に合わせしやすくする。特に、被写界深度が浅いレンズを用いる場合には、厳しい焦点位置調整が必要であり、また、三脚から伝わる振動や手の震えにより操作ノブが回転してピントがずれることがないようにする必要がある。したがって、これらの状況においては、操作ノブの操作トルクを重くすることが適している。
【０００５】
このように、撮影状況や使用するレンズに応じてフォーカス操作装置の操作トルクを変更できるように、フォーカス操作装置には操作ノブの端部にトルク調整つまみが設けられている。撮影者はトルク調整つまみを回転させることによって、所望の操作トルクに調整してから撮影を行っている（特許文献１参照）。
【先行技術文献】
【特許文献】
【０００６】
【特許文献１】特開２００７−０３４１０５号公報
【発明の概要】
【発明が解決しようとする課題】
【０００７】
しかしながら、トルク調整つまみは、操作ノブを把持する手のひらの下側に位置するため、操作トルクを調整するには、一度操作ノブから手を離す必要があった。そのため、フォーカス操作の途中で操作トルクを変更することができなかった。
【０００８】
そこで、本発明では、操作ノブから手を離すことなく、操作トルクを変更可能なフォーカス操作装置を提供することを目的とする。
【課題を解決するための手段】
【０００９】
上記の目的を達成するために、本発明に係るフォーカス操作装置は、
レンズ装置に装着され、回転操作部を手動により操作することにより可動光学部材を移動させるフォーカス操作装置において、少なくとも１つのパラメータを検出するパラメータ検出手段と、前記回転操作部の回転軸にトルクを発生させるトルク発生手段と、前記パラメータ検出手段からの信号に基づいて回転操作部のトルク制御するトルク制御手段とを、有することを特徴とする。
【発明の効果】
【００１０】
本発明によれば、回転操作部から手を離すことなく、操作トルクを変更可能なフォーカス操作装置を提供することができる。その結果、フォーカス操作装置の操作性と運用性の向上が図れる。
【図面の簡単な説明】
【００１１】
【図１】レンズ装置とフォーカス操作装置のシステム概略図
【図２】第１の実施例のフォーカス操作装置の断面図
【図３】第１の実施例のフォーカス操作装置のシステム概略図
【図４】第１の実施例のフォーカス操作装置の回転速度とトルク発生量の関係図
【図５】第２の実施例のフォーカス操作装置のシステム概略図
【図６】第２の実施例のフォーカス操作装置の被写界深度とトルク発生量の関係図
【図７】第３の実施例のフォーカス操作装置の断面図
【図８】第３の実施例のフォーカス操作装置の外観図
【図９】第３の実施例のフォーカス操作装置のシステム概略図
【図１０】第４の実施例のフォーカス操作装置の断面図
【発明を実施するための形態】
【００１２】
以下に、本発明の好ましい実施の形態を、添付の図面に基づいて詳細に説明する。
【実施例１】
【００１３】
図１から図４を用いて、本発明の第１の実施例のフォーカス操作装置について説明する。
【００１４】
フォーカス操作装置Ｄ１は、装置本体１１と、装置本体１１と相対的に回転可能な操作ノブ２１とで構成される。装置本体１１にはフォーカス操作装置Ｄ１と撮影レンズＬを接続するための接続端子３が構成されている。フォーカス操作装置Ｄ１は接続端子３からデマンドケーブルＭを介して撮影レンズＬのレンズコネクタ１０１に接続されている。撮影者が操作ノブ２を操作すると、操作角度に応じた駆動信号が放送用レンズＬのレンズ制御部１０２からレンズ駆動部１０３へ出力され、フォーカス群（可動光学部材）Ｆを所望の位置に移動することができる。
【００１５】
装置本体１１の内部には、クラッチ４とエンコーダ５と基板６１が備えられており、操作ノブ２１と一体となって回転する回転軸７が装置本体１１の内部まで挿通されている。回転軸７の先端にはメインギア７ａが固定されている。クラッチ４の先端にはクラッチギア４ａが固定され、エンコーダ５の先端にはエンコーダギア５ａが固定されており、それぞれメインギア７ａと噛み合っている。クラッチ４とエンコーダ５は基板６１に接続されており、基板６１が接続端子３を介して撮影レンズＬから電源供給されることにより、クラッチ４およびエンコーダ５に給電される。基板６１には、回転量から回転速度を演算する回転速度演算部６１ａと、得られた回転速度から出力するトルクを制御するトルク制御部６１ｂが備えられている。
【００１６】
エンコーダ５から検出された回転軸７の回転量は、回転速度演算部６１ａにより回転軸７の回転速度に変換される。演算された回転速度をもとにトルク制御部６１ｂからクラッチ４にトルク信号が出力され、クラッチ４にトルクが発生する。クラッチ４にトルクが出力されると、クラッチギア４ａと噛み合うメインギア７ａにトルクが発生し、操作ノブ２１の操作トルクが変更される。
【００１７】
図４に示すように、クラッチ４に発生させるトルクは回転速度が低いほど大きい。したがって、操作ノブ２１のトルクは回転速度に対応して自動で変化するため、撮影者が調整することなしに操作に適したトルクに設定される。
【００１８】
回転速度とトルクの関係は図４のＡのように直線的であってもよいし、Ｂのように緩やかな曲線でも、Ｃのようにステップ状に変化してもよい。さらには、回転速度とトルクの関係を複数基板に記録させ、撮影者が選択できるようにしてもよい。
【００１９】
本実施例では、回転軸にトルクを与える方法として、クラッチにより負荷を与える方式を用いたが、弾性体を回転軸に接触させるなどの物理的な摩擦による方式を用いた場合でも同様の効果が得られる。
【実施例２】
【００２０】
図５から図６を用いて、本発明の第２の実施例のフォーカス操作装置について説明する。
【００２１】
フォーカス操作装置Ｄ２は、装置本体１２と、装置本体１２と相対的に回転可能な操作ノブ２２とで構成される。フォーカス操作装置Ｄ２では、接続端子３を介して、装着した撮影レンズＬのズーム位置、フォーカス位置、アイリス位置を含むレンズ情報が基板６２に伝達される。基板６２には、各レンズ情報から被写界深度を算出する被写界深度算出部６２ａと、得られた被写界深度をもとにトルクを制御するトルク制御部６２ｂが備えられている。トルク制御部６２ｂからクラッチ４にトルク信号が出力さることで、操作ノブ２２の操作トルクが変更される。
【００２２】
フォーカス操作装置Ｄ２の電源がオンになると、フォーカス操作装置Ｄ２は装着された撮影レンズＬから各レンズ情報を取得し、被写界深度算出部６２ａで被写界深度を算出する。算出された被写界深度にもとにトルク制御部６２ｂからクラッチ４にトルクが発生する。クラッチ４にトルクが出力されると、クラッチギア４ａと噛み合うメインギア７ａにトルクが発生し、操作ノブ２２の操作トルクが変更される。さらに撮影レンズＬが駆動されると、各レンズ位置情報がフォーカス操作装置Ｄ２に伝達されて操作ノブ２２の操作トルクが変化する。
【００２３】
図６に示すように、クラッチ４で発生させるトルクは被写界深度が浅いほど大きい。したがって、操作ノブ２２の操作トルクはレンズ情報に対応して自動で変化するため、撮影者が調整することなしに操作に適したトルクに設定される。
【００２４】
被写界深度とトルクの関係は図６のＧのように直線的であってもよいし、Ｈのように緩やかな曲線でも、Ｉのようにステップ状に変化してもよい。さらには、被写界深度とトルクの関係を複数基板に記録させ、撮影者が選択できるようにしてもよい。
【実施例３】
【００２５】
図７から図９を用いて、本発明の第３の実施例のフォーカス操作装置について説明する。
【００２６】
フォーカス操作装置Ｄ３は、装置本体１３と、装置本体１３と相対的に回転可能な操作ノブ２３とで構成される。
【００２７】
操作ノブ２３には、操作ノブ２３の外周面に突出したボタン３１とボタン３１の入力を検出するスイッチ３２と、スイッチ３２の信号を装置本体側に伝えるための接点３３とが備えられている。
【００２８】
接点３３は装置本体１３の端面に形成された導通部３４と接触しており、導通部３４はケーブル３５を介して装置本体１３の基板６３に接続されている。導通部３４は回転軸７を中心とする円形になっており、操作ノブ２３が回転しても常に導通部３４と接点３３が接触するようになっている。
【００２９】
図８に示すように、ボタン３１は操作ノブ２３の外周面に形成された凹部２３ａに複数配されており、撮影者が回転操作中に指で触れることが可能となっている。基板６３には、スイッチ３２からの出力信号もとにトルクを制御するトルク制御部６３ａが備えられている。撮影者がボタン３１を押すとスイッチ３２が入力され、スイッチ３２の入力を検出して、トルク制御部６３ａからクラッチ４にトルク信号が出力される。クラッチ４にトルク信号が出力されると、クラッチギア４ａと噛み合うメインギア７ａにトルクが発生し、操作ノブ２３の操作トルクが変更される。
【００３０】
ボタンの入力とトルク変化の関係は、ボタンを押している間のみトルクが変化する方式（モーメンタリー）であってもよいし、１度押すとトルクが変化し、再度押すまではトルクを維持する方式（オルタネイト）であってもよい。さらには、モーメンタリーとオルタネイトを撮影者が選択可能にしてもよい。
【００３１】
本実施例では、ボタンを操作部に設けたが、撮影者が回転操作中に指で触れられる位置であれば、装置本体に設けた場合でも同様の効果が得られる。
【００３２】
本実施例によれば、操作ノブから手を離すことなく、操作トルクを調整することができるだけでなく、撮影者の意思によってトルクの増減を切り替えることができる。
【実施例４】
【００３３】
図１０を用いて、本発明の第４の実施例のフォーカス操作装置について説明する。
【００３４】
フォーカス操作装置Ｄ４は、装置本体１４と、装置本体１４と相対的に回転可能な操作ノブ２４とで構成される。
【００３５】
操作ノブ２４には、操作ノブ２４の外周面に突出した複数の可動部材４１が設けられており、弾性材料からなるグリップカバー４２が可動部材４１を外側から覆っている。可動部材４１の端には圧縮ばね４３が設けられており、可動部材４１は圧縮ばね４３の弾性力により、操作ノブ４１の外径方向に常に付勢されている。
【００３６】
可動部材４１には回転軸７の軸方向に伸びた延伸部４１ａが形成されており、延伸部４１ａは装置本体１４に設けられた溝１４ａに挿入されている。溝１４ａは回転軸７を中心とする円形になっており、操作ノブ２４が回転しても常に延伸部４１ａは溝１４ａに挿入されている。
【００３７】
撮影者がグリップカバー４２の凸部４２ａを握りこむと、図１０（ｂ）のようにグリップカバー４２の下の可動部材４１が内径方向に押し込まれ、延伸部４１ａと円形溝１４ａの側面の接触により摩擦力が発生して、操作ノブ２４の操作トルクが大きくなる。
【００３８】
本実施例によれば、機構部品の接触によりトルクを変更することができるため、トルク発生のために消費電力を費やすことがない。
【００３９】
上記各実施例によれば、操作ノブから手を離すことなく、操作トルクを変更可能なフォーカス操作装置を提供することができる。
【符号の説明】
【００４０】
Ｌ  レンズ装置、Ｆ  フォーカス移動群（可動光学部材）、
Ｄ１，Ｄ２，Ｄ３，Ｄ４  フォーカス操作装置、１１，１２，１３，１４  装置本体、
２１，２２，２３，２４  回転操作部、４  トルク発生手段、
６１ｂ，６２ｂ，６３ａ  トルク制御手段、７  回転軸
【図１】
2017215398.tif 000003
【図２】
2017215398.tif 000004
【図３】
2017215398.tif 000005
【図４】
2017215398.tif 000006
【図５】
2017215398.tif 000007
【図６】
2017215398.tif 000008
【図７】
2017215398.tif 000009
【図８】
2017215398.tif 000010
【図９】
2017215398.tif 000011
【図１０】
2017215398.tif 000012